(57)【特許請求の範囲】
【請求項１】
略直方体状のハウジングと、
ハウジングの一面に当該ハウジングの長手方向に沿って並設され、ハウジングの短手方向一方側より導入されるフラットケーブルの各導体に接続される複数のコンタクトと、
ハウジングの一面に覆設されてハウジングと共にフラットケーブルを挟み込んで当該フラットケーブルを固定する略矩形板状のカバー本体、及びカバー本体の短手方向における一方側に位置する側面から厚み方向に延設されてフラットケーブルの両側にそれぞれ位置する一対の係合爪からなる金属製のカバーとを備え、
前記係合爪は、ハウジングの短手方向における一方側に位置する側面と対向する面に係合片が突設され、前記ハウジングは、短手方向における一方側に位置する側面に前記係合爪に係合される一対の金属製の被係合部が形成され、係合爪が被係合部に係合する際、係合片が被係合部に当接して係合爪がハウジングから離れる方向へ撓んだ後に係合爪と被係合部とが係合することを特徴とするコネクタ。
【請求項２】
前記被係合部は、ハウジングの短手方向における一方側に位置する側面から突出して形成され、前記係合爪は、ハウジングの短手方向における一方側に位置する側面と対向する面の先端に先端から基端側へ向かうに従って内側へ傾斜する傾斜面が形成されることを特徴とする請求項１記載のコネクタ。
【請求項３】
前記被係合部は、インサート成形によってハウジングに一体に形成されることを特徴と
する請求項１または２記載のコネクタ。
【請求項４】
前記被係合部は、ハウジングの短手方向における一方側に位置する側面から突出して形成され、前記係合爪と対向する面にハウジングの一面側から当該一面に対向する他面側へ向かうに従って外側へ傾斜する傾斜面を有することを特徴とする請求項１乃至３いずれか記載のコネクタ。
【請求項５】
前記被係合部は、被係合部が組み込まれて当該被係合部との境界に２つの傾斜面を有し
た略Ｖ字状の溝部が形成された金属部品をハウジングにインサート成形し、前記溝部の底
面で被係合部と金属部品とを切り離すことで溝部の一方の傾斜面が上記傾斜面となること
を特徴とする請求項４記載のコネクタ。
【発明の詳細な説明】
【技術分野】
【０００１】
本発明は、コネクタに関するものである。
【背景技術】
【０００２】
従来から、図１６に示すように、略直方体状のハウジング１０１と、ハウジング１０１の長手方向に沿ってハウジング１０１の一面に並設され、フラットケーブル１０２の各導体に接続されるコンタクト１０３と、ハウジング１０１に覆設されてハウジング１０１と共にフラットケーブル１０２を狭持固定する金属製のカバー１０４とを備えたコネクタが提供されていた（例えば特許文献１参照）。以下、図１６における上下左右方向を基準とし、上下左右方向と直交する方向を前後方向とする。
【０００３】
ハウジング１０１は、コンタクト１０３を収納する本体部１１１と、本体部１１１の左右両端に各々形成される固定部１２１とから構成される。本体部１１１は、その上面に当該ハウジング１０１の前後方向に沿って形成される溝部１０１ａが複数並設され、当該溝部１０１ａ内に各コンタクト１０３が収納されている。また、固定部１２１は、前端が切り欠かれることによって装着溝１２１ａが厚み方向に沿って形成され、更に、固定部１２１を厚み方向に挿通する装着孔１２１ｂが後方側に形成されている。
【０００４】
フラットケーブル１０２は、複数のケーブル１０２ａが平面状に束ねられることで形成され、ハウジング１０１に導入される。そして、フラットケーブル１０２は、ハウジング１０１上面において、各ケーブル１０２ａの導体が各コンタクト１０３にそれぞれ半田接続される。
【０００５】
カバー１０４は、ハウジング１０１の長手方向（左右方向）に沿って長い長尺板状のカバー本体部１１４と、カバー１０４をハウジング１０１に固定するためにカバー本体部１１４の左右両端に各々形成されるかしめ固定部１１５とから構成される。
【０００６】
かしめ固定部１１５は、カバー本体部１１４の両端から外側方向へ延設された平板状の基部１１５ａと、基部１１５ａの前後両端からそれぞれ厚み方向へ延設される延設部１１５ｂ、１１５ｃとから断面略コの字状に形成されている。なお、図１６において、延設部１１５ｂは、先端が折曲されて略Ｌ字状となっているが、初期状態では折曲されずに平板状となっている。
【０００７】
そして、カバー１０４をハウジング１０１に覆設する際、まず、延設部１１５ｂ、１１５ｃを、ハウジング１０１の装着溝１２１ａ、装着孔１２１ｂにそれぞれ挿入し、本体部１１４とハウジング１０１の上面とでフラットケーブル１０２を狭持する。次に、延設部１１５ｂの先端を固定部１２１に外面に沿って（後方側へ）かしめる（折曲する）ことで、カバー１０４がハウジング１０１に固定される。
【先行技術文献】
【特許文献】
【０００８】
【特許文献１】特開２００７−１５７５９４号公報
【発明の概要】
【発明が解決しようとする課題】
【０００９】
上記に示した通り、従来例におけるコネクタでは、ハウジング１０１に対してカバー１０４を組み付ける際に、かしめ工程が必要であることから、組み付けに手間がかかり、且つ、カバー１０４を一旦外して再装着すると、金属疲労によって延設部１１５ｂの強度が低下してカバー１０４の組み付け状態が不安定となるといった問題があった。
【００１０】
本発明は、上記事由に鑑みてなされたものであり、その目的は、ハウジングに対してカバーを容易に組み付けることができ、且つ、再装着したカバーであっても組み付け状態が安定するコネクタを提供することにある。
【課題を解決するための手段】
【００１１】
請求項１の発明は、  略直方体状のハウジングと、ハウジングの一面に当該ハウジングの長手方向に沿って並設され、ハウジングの短手方向一方側より導入されるフラットケーブルの各導体に接続される複数のコンタクトと、ハウジングの一面に覆設されてハウジングと共にフラットケーブルを挟み込んで当該フラットケーブルを固定する略矩形板状のカバー本体、及びカバー本体の短手方向における一方側に位置する側面から厚み方向に延設されてフラットケーブルの両側にそれぞれ位置する一対の係合爪からなる金属製のカバーとを備え、前記係合爪は、ハウジングの短手方向における一方側に位置する側面と対向する面に係合片が突設され、前記ハウジングは、短手方向における一方側に位置する側面に前記係合爪に係合される一対の金属製の被係合部が形成され、係合爪が被係合部に係合する際、係合片が被係合部に当接して係合爪がハウジングから離れる方向へ撓んだ後に係合爪と被係合部とが係合することを特徴とする。
【００１２】
この発明によれば、ハウジングの一面側からカバーを嵌め込むだけで容易にカバーの組み付けを行うことができ、かしめ工程が必要ないためコストを削減することができる。更に、係合爪を撓ませることによってカバーの脱着を行うことができることから、再装着時における係合爪の金属疲労が抑制されてカバーの組み付け状態を安定させることができる。また、係合部が、ハウジングに対するフラットケーブルの挿入側に形成されていることから、フラットケーブルがハウジングの一面側へ引っ張られたとしても、カバーの浮き上がりを抑制できてフラットケーブルの導体とコンタクトとの切断を防止することができる。更に、係合部と被係合部とが、共に金属から形成されて引っ掛け構造により係合することから、引っ掛け代を大きくすることなく所望の係合強度を確保することができる。
【００１３】
請求項２の発明は、請求項１記載の発明において、前記被係合部は、ハウジングの短手方向における一方側に位置する側面から突出して形成され、前記係合爪は、ハウジングの短手方向における一方側に位置する側面と対向する面の先端に先端から基端側へ向かうに従って内側へ傾斜する傾斜面が形成されることを特徴とする。
【００１４】
この発明によれば、係合爪に傾斜面が形成されたことで、係合爪が被係合部によって徐々に外側方向へ撓められてスムーズに係合を行うことができる。
【００１５】
請求項３の発明は、請求項１または２記載の発明において、前記被係合部は、インサート成形によってハウジングに一体に形成されることを特徴とする。
【００１６】
この発明によれば、被係合部がインサート成型によってハウジングに形成されることから、係合爪が樹脂からなるハウジングを抱え込むことなく、係合爪と被係合部との引っ掛け構造で係合性能を高めることができる。また、ハウジングに対して被係合部を容易に且つ正確に形成することができる。
【００１７】
請求項４の発明は、請求項１乃至３いずれか記載の発明において、前記被係合部は、ハウジングの短手方向における一方側に位置する側面から突出して形成され、前記係合爪と対向する面にハウジングの一面側から当該一面に対向する他面側へ向かうに従って外側へ傾斜する傾斜面を有することを特徴とする。
【００１８】
この発明によれば、被係合部に傾斜面が形成されたことで、係合爪が被係合部の傾斜面に沿って徐々に外側方向へ撓められてスムーズに係合を行うことができる。
【００１９】
請求項５の発明は、請求項４記載の発明において、被係合部が組み込まれて当該被係合部との境界に２つの傾斜面を有した略Ｖ字状の溝部が形成された金属部品をハウジングにインサート成形し、前記溝部の底面で被係合部と金属部品とを切り離すことで溝部の一方の傾斜面が上記傾斜面となることを特徴とする。
【００２０】
この発明によれば、被係合部と金属部品との切り離しのために形成された溝部が有する２つの傾斜面の内の一方が被係合部の傾斜面となることで、被係合部に傾斜面を施すための工程が必要ないため工数を低減することができる。
【発明の効果】
【００２１】
以上説明したように、本発明では、ハウジングに対してカバーを容易に組み付けることができ、且つ、再装着を行った場合であってもカバーの組み付け状態が安定するコネクタを提供することができるという効果がある。
【図面の簡単な説明】
【００２２】
【図１】本発明の実施形態におけるコネクタの要部拡大図を示す。
【図２】同上におけるコネクタの分解斜視図を示す。
【図３】同上におけるハウジングの斜視図を示す。
【図４】同上におけるハウジングの要部拡大図を示す。
【図５】同上における金属部材の斜視図を示す。
【図６】同上における金属部材をハウジングにインサート成型した際の斜視図を示す。
【図７】（ａ）、（ｂ）は、同上におけるコネクタの被係合部の拡大図を示し、（ａ）は、斜視図、（ｂ）は、断面図を示す。
【図８】（ａ）、（ｂ）は、同上におけるコネクタの被係合部の拡大図を示し、（ａ）は、斜視図、（ｂ）は、断面図を示す。
【図９】同上におけるフラットケーブルの概略図を示す。
【図１０】同上におけるコネクタの係合部の要部拡大図を示す。
【図１１】同上におけるコネクタの係合部の要部拡大図を示す。
【図１２】同上におけるコネクタの係合部の断面図を示す。
【図１３】同上におけるコネクタの要部拡大図を示す。
【図１４】同上におけるコネクタの斜視図を示す。
【図１５】本発明の別形態のコネクタにおけるカバーの斜視図を示す。
【図１６】従来例におけるコネクタの分解斜視図を示す。
【発明を実施するための形態】
【００２３】
以下、本発明の実施の形態を図面に基づいて説明する。
【００２４】
（実施形態）
本実施形態のコネクタについて図１〜１４を用いて説明を行う。なお、以下、図２における上下左右を基準として上下左右方向と直交する方向を前後方向として説明を行う。
【００２５】
本実施形態のコネクタは、図１、２に示すように、左右方向に長い樹脂からなる略直方体状のハウジング１と、ハウジング１の上面に左右方向に沿って並設され、ハウジング１の前方より導入されるフラットケーブル２の各導体２１ａに接続される複数のコンタクト３と、ハウジング１の上面に覆設されてハウジング１と係合する金属製のカバー４とを備える。
【００２６】
ハウジング１は、図３に示すように、左右方向に長い略直方体状のハウジング本体部１１と、ハウジング本体部１１の左右両端にそれぞれ形成される規制部１２とから構成される。
【００２７】
ハウジング本体部１１は、略直方体状に形成されて上面後方に長手方向に沿って複数のスリット孔１１ａが並設されている。そして、スリット孔１１ａからは、ハウジング本体１１内に収納されるコンタクト３の一部が露出する。
【００２８】
また、ハウジング本体部１１の前面には、左右方向に長い突壁１１ｂが形成され、更に、突壁１１ｂの左右両隣近傍には、図４に示すように、下面に前後方向に沿って略矩形状の案内溝１１ｄが形成された突部１１ｃが各々形成されている。そして、突壁１１ｂ表面には、略Ｕ字状に折曲された金属補強板５が覆設され、金属補強板５の左右方向両端からは、前記案内溝１１ｄに沿って形成されて凸部１１ｃの前面から突出する金属製の被係合部６が延設されている。また、突部１１ｃの前面には、下方から上端に向かうに従って後方へ傾斜する傾斜面１１ｇが形成されている。
【００２９】
被係合部６は、その端面（前面）に下方から上端へ向かうに従って後方へ傾斜する傾斜面６ａが形成されている。
【００３０】
ここで、コンタクト３及び金属補強板５、被係合部６は、ハウジング１にインサート成形によって一体に形成される。以下、インサート成型の手順について説明を行う。まず、図５に示すように、コンタクト３が一体に形成されている金属部材７と、金属補強板５及び被係合部６が一体に形成されている金属部材８とを、ハウジング１を形成する図示しない金型で挟み込んで金型内に樹脂を充填する。ここで、コンタクト３は、金属部材７の端部に形成されるつなぎ部７ａを介して金属部材７と接続し、金属補強板５及び被係合部６は、金属部材８の端部に形成されるつなぎ部８ａを介して金属部材８と接続している。
【００３１】
そして、図６に示すように、コンタクト３と金属部材７とを、コンタクト３とつなぎ部７ａとの境界Ｌ１で切断し、更に、金属補強板５及び被係合部６と金属部材８とを、金属補強板５及び被係合部６とつなぎ部８ａとの境界Ｌ２を切断する。このようにして、ハウジング１に対して、コンタクト３及び金属補強板５及び被係合部６を容易に、且つ、正確に一体成型することができる。
【００３２】
上記において、金属部品８には、図７に示すように、被係合部６とつなぎ部８ａとの境界Ｌ２となる箇所の上面に、２つの傾斜面８１ａ、８１ｂからなるＶ字溝（溝部）８１が予め形成されている。なお、被係合部６側を傾斜面８１ａ、つなぎ部８ａ側を傾斜面８１ｂとする。そのため、図８に示すように、被係合部６とつなぎ部８ａとをＶ字溝８１の底面（傾斜面８１ａと傾斜面８１ｂとの交点）で切断することで、傾斜面８１ａが被係合部６の傾斜面６ａとなり、別途傾斜面６ａを形成するための工程が必要なくなって工数を低減することができる。なお、本実施形態では、被係合部６とつなぎ部８ａとの境界Ｌ２にＶ字溝８１を形成しているが、被係合部６側が傾斜面でつなぎ部８ａ側が垂直面である断面略レ状の溝部が形成されていてもよい。以上のように、被係合部６とつなぎ部８ａとの境界Ｌ２に形成される溝部の形状は、被係合部６側が傾斜面となっていればよく、溝部の形状はＶ字状やレ状に限定されない。
【００３３】
また、一対の被係合部６は、金属補強板５と一体に成型されていることから、上記インサート成型を行う際、一対の被係合部６の位置決めを容易に行うことができる。更に、金属補強板５が、樹脂からなるハウジング１の突壁１１ｂに巻きつけられていることから、ハウジング１の強度が高められている。
【００３４】
規制部１２は、図１〜３に示すように、ハウジング本体１１の左右方向端部から延設されてハウジング本体部１１よりも前後方向の寸法が小さい案内部１２ｂと、案内部１２ｂの左右方向端部から延設されて案内部１２ｂよりも前後方向の寸法が大きい拡径部１２ａとから構成される。
【００３５】
そして、案内部１２ｂを挟んで対向するハウジング本体部１１と拡径部１２ｂとの各側面からは、案内部１２ｂの前面及び後面に所定の間隔を空けて対向する一対のガイド壁１１ｅ、１２ｃがそれぞれ形成されている。これにより、規制部１２の前面側及び後面側に、断面略Ｃ型のガイド部１３、１４がそれぞれ形成される。
【００３６】
フラットケーブル２は、複数のケーブル２１が平板状に束ねられることで構成されている。ここで、各ケーブル２１は、図９に示すように、所謂同軸ケーブルであって棒体状の内部導体２１ａの外周部に絶縁材２１ｂを介して円環状の外部導体２１ｃを設け、当該外部導体２１ｃ表面に絶縁被覆２１ｄを設けることによって形成される。そして、各ケーブル２１は、先端に向かうに従って剥離量を段階的に増やすことにより、先端へ向かうに従って、外部導体２１ｃ→絶縁材２１ｂ→内部導体２１ａが順に露出している。
【００３７】
そして、フラットケーブル２は、ハウジング１に前方から導入され、各ケーブル２１の内部導体２１ａがハウジング１の上面に露出した各コンタクト３に半田接続される。また、外部導体２１ｃは、略矩形板状の一対のグランドバー９に上下両側から挟み込まれ、グランドバー９の左右両端が、ハウジング本体部１１の上面両端にそれぞれ突設される断面略コ字状の一対の保持壁１１ｆ内に嵌め込まれる。更に、グランドバー９の略中央から延設される延設片９ａが、グランド用のコンタクト３（本実施形態では、ハウジング１の略中央に収納されている）に半田接続される。
【００３８】
カバー４は、左右方向に長い略矩形平板状のカバー本体部４１と、カバー本体部４１の左右両端にそれぞれ形成される規制部４２とから構成される。カバー本体部４１は、前側の側縁両端部より下方へ向けて係合爪４１１が形成され、更に、貫通孔４１ａが複数箇所（本実施形態では３箇所）、略等間隔に穿設されている。
【００３９】
係合爪４１１は、先端近傍における内側の側縁に切り込み４１１ａが形成され、当該切り込み４１１ａよりも下方部分が後方へ向けて湾曲するばね性を有した係合片４１１ｂとなっている。また、係合爪４１１の後面下端には、下端から上方へ向かうに従って後方へ傾斜する傾斜面４１１ｃが形成されている。
【００４０】
規制部４２は、カバー本体部４１の左右両端から延設される矩形平板状の基部４２１と、基部４２１の前端部及び後端部がそれぞれ下方へ向けて折曲されてなる狭持片４２２、４２３とから構成される。ここで、基部４２１の側縁には、前後の折曲部４２１ａ、４２１ｂ近傍に、切り欠き部４２１ｃがそれぞれ形成されている。また、狭持片４２２，４２３の左右両側には、嵌合突部４２２ａ、４２３ａがそれぞれ突設されている。
【００４１】
そして、カバー４をケース本体１に組み付ける際には、まず、狭持片４２２，４２３を規制部１２におけるガイド部１３，１４に上方から挿し込み、図１０〜１２に示すように、ガイド部１３，１４に沿って下方へ移動させる。ここで、狭持片４２２，４２３にそれぞれ形成された嵌合突部４２２ａ、４２３ａが、ガイド部１３、１４の内壁を摺動する。すると、係合爪４１の傾斜面４１１ｃが、まず、突部１１ｃの傾斜面１１ｇに当接して当該傾斜面１１ｇに沿って摺動し、係合片４１１ｂが外側（前側）に撓む。次に、係合爪４１の傾斜面４１１ｃは、被係合部６の傾斜面６ａに当接して当該傾斜面６ａに沿って摺動し、係合片４１１ｂが更に外側に撓む。その後、図１３、１４に示すように、係合片４１１ｂが、被係合部６を乗り越えると、係合爪４１１の撓みが無くなって、係合片４１１ｂが被係合部６の下方に入り込む。このようにして、係合爪４１１が被係合部６に係合してカバー４がハウジング１に固定される。
【００４２】
ここで、係合片４１１ｂ及び被係合部６は、共に金属材料から形成されていることから、掛かり代が小さくても所望の係合強度を確保することができ、係合部のサイズを抑えることができる。また、カバー４における貫通孔４１ａの内壁がグランドバー９に半田付けされることで、カバー４のハウジング１に対する組み付け強度を更に高めることができる。加えて、狭持片４２２，４２３が、ガイド部１３、１４に嵌挿することで、被係合部に対する係合爪４１１の位置決めがなされている。
【００４３】
以上の通り、本実施形態のコネクタは、カバー４をハウジング１側へ押し込むことにより容易にカバー４をハウジング１に組み付け固定することができる。すなわち、カバー４をハウジング１に組み付ける際、かしめ加工をする必要がなく、工数を低減できてコストを削減することができる。
【００４４】
また、係合爪４１１は、ハウジング１に対するフラットケーブル２の挿入側で被係合部６に係合することから、フラットケーブル２が上方側へ引張力を受けた場合であっても、カバー４が浮き上がることを抑制できる。従って、上記引張力がケーブル２１の導体部２１ａとコンタクト３との接続部分に直接かかることを防止でき、フラットケーブル２とコンタクト３とが断線することを阻止できる。
【００４５】
また、ハウジング１に対してカバー４を組み付ける際、カバー４の係合爪４１１は、被係合部６に対してかしめられることなく撓められることによって係合することから、かしめる場合に比べて係合爪４１１に発生する金属疲労を抑制することができる。そのため、カバー４をハウジング１から一旦外して再装着した場合にも、カバー４を安定して組み付けることができる。
【００４６】
なお、本実施形態では、係合爪４１１に係合片４１１ｂを形成しているが、係合片４１１ｂを形成する代わりに、図１５に示すような係合片４１１ｄを形成してもよい。係合片４１１ｄは、係合爪４１１に略矩形状の開口４１１ｅを形成し、開口４１１ｅの下方側内壁から下方へ向けて一対の切り込み４１１ｆを形成することで当該一対の切り込み４１１ｆ間に形成される。ここで、係合片４１１ｄは、基端から先端側へ向かうに従って内側（後方側）へ傾斜し、ばね性を有している。
【符号の説明】
【００４７】
１  ハウジング
２  フラットケーブル
２１ａ  内部導体
３  コンタクト
４  カバー
５  金属補強板
６  被係合部
６ａ  傾斜面
７  金属部材
８  金属部材
９  グランドバー
４１  カバー本体
４１１  係合爪
４１１ｂ  係合爪
４１１ｃ  傾斜面
【図１】
0005551941.tif 000002
【図２】
0005551941.tif 000003
【図３】
0005551941.tif 000004
【図４】
0005551941.tif 000005
【図５】
0005551941.tif 000006
【図６】
0005551941.tif 000007
【図７】
0005551941.tif 000008
【図８】
0005551941.tif 000009
【図９】
0005551941.tif 000010
【図１０】
0005551941.tif 000011
【図１１】
0005551941.tif 000012
【図１２】
0005551941.tif 000013
【図１３】
0005551941.tif 000014
【図１４】
0005551941.tif 000015
【図１５】
0005551941.tif 000016
【図１６】
0005551941.tif 000017